(57)【要約】      （修正有）【課題】落下した雨水が撥ね返っても騒音が発生せず、さらに、竪樋の下端部に容易に取り付けることができるようにしたルーフドレイン用の雨水飛散防止カバーを提供する。【解決手段】ルーフドレインＡは、下層階の竪樋の上端部内に挿入される排水管部１１の上端縁に鍔部を設けたドレイン本体１０と、上層階の竪樋１００の下端部１０１を外嵌する状態で前記ドレイン本体１０上に設置されるストレーナ２０とが組み合わされる。雨水飛散防止カバー１は、ルーフドレインＡ内に浸入した雨水の飛沫が前記ストレーナ２０の周囲へ飛散しないようにするものであり、前記竪樋１００の下端部１０１を外嵌し、かつ、ストレーナ２０内に収納される筒状部２と、前記ドレイン本体１０の排水管部１１を塞がないように縮径するテーパ状部３とが、復元可能に折り込むことのできる軟質材で一体成形されている。【選択図】図４
2006132124.tif 000002
【特許請求の範囲】
【請求項１】
下層階の竪樋の上端部内に挿入される排水管部を有するドレイン本体と、上層階の竪樋の下端部を外嵌する状態で前記該ドレイン本体上に設置されるストレーナとが組み合わされるルーフドレイン内に浸入した雨水の飛沫が前記ストレーナの周囲へ飛散しないようにするルーフドレイン用の雨水飛散防止カバーであって、
前記竪樋の下端部を外嵌し、かつ、ストレーナ内に収納される筒状部と、前記ドレイン本体の排水管部を塞がないように縮径するテーパ状部とが、復元可能に折り込むことのできる軟質材で一体成形されていることを特徴とするルーフドレイン用の雨水飛散防止カバー。
【請求項２】
前記排水管部との間に間隔を確保するように前記ドレイン本体上に支承されるスペーサが前記テーパ状部に突設されていることを特徴とする請求項１に記載のルーフドレイン用の雨水飛散防止カバー。
【請求項３】
前記軟質材は、ゴムであることを特徴とする請求項１または２に記載のルーフドレイン用の雨水飛散防止カバー。
【発明の詳細な説明】
【技術分野】
【０００１】
本発明は、バルコニーや屋外廊下など（以下、「バルコニー」という。）に設置され、雨水をスムーズに排水するためのルーフドレインに使用されるルーフドレイン用の雨水飛散防止カバーに関し、詳しくは、上層階と下層階の各ルーフドレインに掛け渡される竪樋内を落下する雨水の飛沫がルーフドレインの周囲へ飛散しないようにするためのルーフドレイン用の雨水飛散防止カバーに関する。
【背景技術】
【０００２】
図９に示すように、ルーフドレインＡは、バルコニーＢの凹陥部Ｃに形成された貫通穴Ｄを覆うように嵌め込まれるドレイン本体１０や、このドレイン本体１０上に設置されるストレーナ２０などから構成されている。ドレイン本体１０は、前記貫通穴Ｄとの間に間隔をあけて挿入される排水管部１１と、この排水管部１１の上端縁に設けられる段差部１２付きの受皿部１３とが一体に成形されたものである。
【０００３】
また、ストレーナ２０は、上層階ＨのルーフドレインＡと下層階ＬのルーフドレインＡとに掛け渡される直管状の竪樋１００の下端部１０１を外嵌する支持管部２１と、この支持管部２１の下端外周に形成される環状座板２２とが一体に成形されたものである。支持管部２１には、バルコニーＢの上に降った雨水が流れ込むようにするため、例えば縦縞状の通水孔２３，２３…が形成されている。
【０００４】
また、支持管部２１の上端部には、ネジ穴が例えば３か所に形成され、このネジ穴を貫通するネジ３０の先端部が竪樋１００の下端部１０１の外周を押圧することによって、竪樋１００が固定される。そして、環状座板２２は、前記ドレイン本体１０の段差部１２内に嵌め込まれる大きさに形成され、ネジ３０によって段差部１２に固定される。
【０００５】
このようなストレーナ２０内には、竪樋１００内からストレーナ２０内に落下した雨水の飛沫が周囲へ飛散しないようにするための雨水飛散防止カバー１１１が挿入されている。雨水飛散防止カバー１１１は、竪樋１００の下端部１０１を外嵌し、かつ、ストレーナ２０の支持管部２１の上端縁から下部付近まで支持管部２１内に挿入される筒状部１１２と、この筒状部１１２の下端からドレイン本体１０の段差部１２内まで次第に縮径するように設けられるテーパ状部１１３と、筒状部１１２の上端縁外周に設けられ、かつ、前記ストレーナ２０の支持管部２１の上端縁に係止される鍔部１１４とから構成されている。この雨水飛散防止カバー１１１は、製造コストや取扱いの利便性などから、一般的に、ポリエチレンや塩化ビニルような硬質素材で一体成型されている。
【０００６】
そして、このようなルーフドレインＡは、ドレイン本体１０の排水管部１１が貫通穴Ｄ内に間隔を開けて挿入され、環状座板２２が凹陥部Ｃ上に設置され、上層階Ｈと下層階Ｌの各ルーフドレインＡ，Ａに掛け渡される竪樋１００の下端部１０１にストレーナ２０と雨水飛散防止カバー１１１を外嵌して使用される。
【０００７】
ここで、このような上層階Ｈと下層階Ｌの各ルーフドレインＡ，Ａに竪樋１００を取り付ける方法について図１０を参照しながら説明する。ストレーナ２０は、当初、凹陥部Ｃ上に設置されたドレイン本体１０から分離して、支持管部２１内に雨水飛散防止カバー１１１が挿入されている。この雨水飛散防止カバー１１１は、鍔部１１４がストレーナ２０の上端縁に係止され、テーパ状部１１３の下端部がストレーナ２０の下端縁から突出している。
【０００８】
一方、竪樋１００は、上端部１０２が貫通穴Ｄ内で昇降動することができる長さに形成されている。貫通穴Ｄ内に挿入された竪樋１００の上端部１０２が鉛直方向に上昇し、竪樋１００の下端縁とドレイン本体１０との間に空間Ｓを設けた状態で、前記雨水飛散防止カバー１１１を挿入したストレーナ２０をこの空間Ｓ内に配置する。
【０００９】
そして、ストレーナ２０をネジ３０によってドレイン本体１０に固定した後、上昇させていた竪樋１００を下降して、竪樋１００の下端部１０１が雨水飛散防止カバー１１１の筒状部１１２内に挿入された状態とする。この部分をネジ３０によって固定すると、竪樋１００が上層階Ｈと下層階Ｌの各ルーフドレインＡ，Ａに掛け渡された状態が維持される。
【００１０】
また、上層階Ｈと下層階Ｌの各ルーフドレインＡ，Ａに竪樋１００を掛け渡す別の方法について、図１１を参照しながら説明する。この方法は、予め、竪樋１００の下端部１０１を雨水飛散防止カバー１１１が外嵌し、この雨水飛散防止カバー１１１をストレーナ２０が外嵌する状態とする。
【００１１】
この竪樋１００は、上端部１０２が貫通穴Ｄの下部に位置する傾斜姿勢から上部に位置する起立姿勢とされた後、ストレーナ２０をドレイン本体１０上に載せる。最後に、ストレーナ２０をネジ３０によってドレイン本体１０に固定し、竪樋１００の下端部１０１をネジ３０によってストレーナ２０に固定すると、竪樋１００を上層階Ｈと下層階Ｌの各ルーフドレインＡ，Ａに掛け渡す作業が完了する。
【００１２】
なお、雨水飛散防止カバーが筒状部とテーパ状部と鍔部とから構成されているフロアードレイン用誘導パイプが特許文献１に開示されている。
【００１３】
【特許文献１】実公昭６０−１５８１６号公報
【発明の開示】
【発明が解決しようとする課題】
【００１４】
従来の雨水飛散防止カバー１１１は、雨水がバルコニーＢの凹陥部ＣからルーフドレインＡ内に流れ込むことができるようにしつつ、雨水の飛沫を周囲へ飛散させないという機能を果たすため、下端側にテーパ状部１１３が設けられている。したがって、竪樋１００内で落下した雨水は、このテーパ状部１１３で撥ね返ることとなる。しかし、雨水飛散防止カバー１１１は、硬質素材で成型されているため、このテーパ状部１１３で撥ね返った雨水は、耳につきやすい高音の騒音を発生させる。
【００１５】
また、従来の雨水飛散防止カバー１１１は、テーパ状部１１３によって縮径されているため、竪樋１００の中間部１０３に移動させることができず、少なくともテーパ状部１１３の部分が竪樋１００の下端縁から突出するだけなく、上端縁に鍔部１１４が形成されているため、ストレーナ２０も鍔部１１４よりも上側に移動することができない。
【００１６】
したがって、図１０に示すように、竪樋１００を上昇させ、竪樋１００の下端縁とドレイン本体１０との間に空間Ｓを設けて、この空間Ｓ内にストレーナ２０と雨水飛散防止カバー１１１を容易に配置するには、この空間Ｓを大きくするべく、竪樋１００を短くするか、逆に、この空間Ｓ以下の嵩の低い雨水飛散防止カバー１１１を使用する必要がある。
【００１７】
また、図１１に示すように、竪樋１００の下端部１０１に雨水飛散防止カバー１１１とストレーナ２０を外嵌し、この竪樋１００を傾斜姿勢から起立姿勢とする方法にあっては、雨水飛散防止カバー１１１が硬質素材で成型され、変形できないことから、雨水飛散防止カバー１１１が凹陥部Ｃのエッジの衝突しにくいようにするためには、傾斜姿勢の竪樋１００の下端縁とバルコニーＢの凹陥部Ｃのエッジとの間隔を大きくするべく竪樋１００を短くするか、あるいは、この間隔以下の嵩の低い雨水飛散防止カバー１１１を使用する必要がある。
【００１８】
しかし、竪樋１００を短くすると、上層階Ｈと下層階Ｌの各ルーフドレインＡ，Ａに掛け渡された竪樋１００の上端部１０２が上層階ＨのルーフドレインＡの排水管部１１を囲わなくなり、排水管部１１内に流れ込んだ雨水が竪樋１００の外側に漏出することがある。また、嵩の低い雨水飛散防止カバー１１１を使用すると、雨水の飛沫を周囲へ飛散させないという機能が低下する。
【００１９】
そこで、本発明は、落下した雨水が撥ね返っても騒音が発生せず、さらに、竪樋の下端部に容易に取り付けることができるようにしたルーフドレイン用の雨水飛散防止カバーを提供することを課題とする。
【課題を解決するための手段】
【００２０】
本発明に係るルーフドレイン用の雨水飛散防止カバーは、下層階の竪樋の上端部内に挿入される排水管部を有するドレイン本体と、上層階の竪樋の下端部を外嵌する状態で前記該ドレイン本体上に設置されるストレーナとが組み合わされるルーフドレイン内に浸入した雨水の飛沫が前記ストレーナの周囲へ飛散しないようにするルーフドレイン用の雨水飛散防止カバーであって、前記竪樋の下端部を外嵌し、かつ、ストレーナ内に収納される筒状部と、前記ドレイン本体の排水管部を塞がないように縮径するテーパ状部とが、復元可能に折り込むことのできる軟質材で一体成形されていることを特徴としている。
【００２１】
このルーフドレイン用の雨水飛散防止カバーによれば、復元可能に折り込むことができる軟質材で成形されることにより、テーパ状部を内側に折り込んだ状態として、筒状部を竪樋の下端部に外嵌することができる。したがって、空間を設けるため、起立姿勢で持ち上げられた状態の竪樋とドレイン本体との間隔が、テーパ状部の長さよりも狭くても、テーパ状部を折り込んで、テーパ状部が竪樋の下端縁から突出しないようにすることにより、雨水飛散防止カバーをこの空間内に配置することができる。さらに、雨水飛散防止カバーが軟質材で成形されていることにより、折り込まれたテーパ状部は、引き出すことにより、元の先細りの縮径した状態に復元することができる。
【００２２】
あるいは、この雨水飛散防止カバーは、筒状部が竪樋の下端部を外嵌し、テーパ状部が内側に折り込まれた状態として、ストレーナを竪樋の中間部分に位置させることができる。この竪樋を傾斜姿勢から起立姿勢とした後に、テーパ状部を元の先細りの縮径した状態に復元する。また、雨水飛散防止カバーに鍔部が形成されていないことから、ストレーナを竪樋の中間部から下端部へ移動することができる。いずれにしても、テーパ状部の先端部は、ドレイン本体の排水管部を塞がないため、雨水がストレーナの外側から排水管部内に流れ込む。
【００２３】
また、この雨水飛散防止カバーは、軟質材で成形されていることにより、竪樋内を落下した雨水がテーパ状部上で撥ね返っても、耳につくような高音の騒音が発生することはない。
【００２４】
また、前記ルーフドレイン用の雨水飛散防止カバーにおいて、前記排水管部との間に間隔を確保するように前記ドレイン本体上に支承されるスペーサが前記テーパ状部に突設されていることが好ましい。
【００２５】
このルーフドレイン用の雨水飛散防止カバーによれば、スペーサによってテーパ状部とドレイン本体の排水管部との間に、間隔が確実に設けられる。したがって、例えば、雨水飛散防止カバーの筒状部が収縮力によって竪樋の下端部を外嵌し、テーパ状部が排水管部を塞がないように保持されている場合において、収縮力が低下することにより、あるいは、テーパ状部上に落下した雨水がテーパ状部を押し下げる力となって加圧することにより、筒状部が竪樋の下端部から外れ落ちることがあるとしても、スペーサがドレイン本体の鍔部上に支承されることにより、テーパ状部が排水管部を塞ぐことがないようにすることができる。
【００２６】
また、前記ルーフドレイン用の雨水飛散防止カバーにおいて、前記軟質材は、ゴムであることが好ましい。
【００２７】
このルーフドレイン用の雨水飛散防止カバーによれば、軟質材がゴムによって成形されることにより、復元可能に折り込むことができる性質や、落下した雨水が撥ね返ることによって発生する騒音を低音とし、耳につきにくいようにする性質を容易に実現することができる。なお、ゴムとしては、ＥＰＤＭやＥＰＭのようなエチレンプロピレンゴムを使用することにより、耐水性を確保することができる。
【発明の効果】
【００２８】
本発明によれば、ルーフドレイン用の雨水飛散防止カバーが筒状部とテーパ状部とによって構成され、しかも軟質材で一体成形されていることにより、テーパ状部を内側に折り込んで筒状部を竪樋の下端部に外嵌することができるため、テーパ状部が竪樋の下端縁とドレイン本体との間の空間の高さ、あるいは、凹陥部のエッジとの間隔よりも長くても、ルーフドレイン用の雨水飛散防止カバーを竪樋の下端部に容易に取り付けることができ、作業性が向上する。
【００２９】
また、ルーフドレイン用の雨水飛散防止カバーは、軟質材によって成形されていることにより、雨水がテーパ状部で撥ね返るときに、高音の騒音が発生せず、住環境を良好にすることができる。さらに、このルーフドレイン用の雨水飛散防止カバーは、鍔部を有していないことにより、任意の高さのストレーナを使用することができるため、嵩の高いストレーナが竪樋の下端部を安定して保持することができる。
【発明を実施するための最良の形態】
【００３０】
本発明に係るルーフドレイン用の雨水飛散防止カバーの実施形態について図１ないし図８を参照しながら説明する。なお、従来と同一部分は、同一符号を付して説明する。
【００３１】
この雨水飛散防止カバー１は、竪樋１００の下端部１０１を外嵌する上側の筒状部２と、この筒状部２の下端から縮径しつつ排水管部１１の方へ延びる下側のテーパ状部３とが軟質材によって連続して一体成形されている。すなわち、テーパ状部３は、復元可能に内側に折り込むことができるようにされている。
【００３２】
このような雨水飛散防止カバー１は、例えばＥＰＤＭやＥＰＭのようなエチレンプロピレンゴムを使用することが好ましい。ＥＰＭは、エチレンとプロピレンの共重合体によってできるゴムであり、耐水性に優れている。ＥＰＤＭは、エチレンとプロピレンにジエン系モノマーを添加してできる三元共重合体のゴムであり、架橋が容易という特長を有している。なお、雨水飛散防止カバー１の材質として、エチレンプロピレンゴムに限定するものではなく、天然ゴム、クロロプレンゴム、ニトリルゴム、シリコンゴムその他のゴムを使用することもできる。
【００３３】
また、この雨水飛散防止カバー１は、筒状部２の上端縁に鍔部が形成されず、テーパ状部３に下端縁から突出する３本以上（図面では４本）のスペーサ４，４…が突設されている。このスペーサ４，４…がドレイン本体１０の段差部１２上に支承されることによって、鍔部が形成されていなくても、テーパ状部３がドレイン本体１０の排水管部１１を塞がず、雨水がドレイン本体１０と雨水飛散防止カバー１のテーパ状部３との間に間隔が設けられ、この間隔から排水管部１１内に流れ落ちるようにされている。
【００３４】
ここで、このような雨水飛散防止カバー１を竪樋１００に取り付け、この竪樋１００を上層階Ｈと下層階Ｌの各ルーフドレインＡ，Ａに掛け渡す第１の方法について、図２ないし図７を参照しながら説明する。
【００３５】
この第１の方法は、上層階Ｈと下層階Ｌの各ルーフドレインＡ，Ａ間に鉛直姿勢で配置された竪樋１００の下端部１０１に雨水飛散防止カバー１を取り付ける方法である。すなわち、竪樋１００の下端縁とドレイン本体１０との間に予め空間Ｓを設けられており、この空間Ｓからストレーナ２０のみを竪樋１００の下端部１０１に外嵌し、あるいは、予めストレーナ２０を竪樋１００に外嵌した状態として、竪樋１００を上層階Ｈと下層階Ｌの各ルーフドレインＡ，Ａ間に配置し、図２（ａ）に示すように、ストレーナ２０をドレイン本体１０の段差部１２上に載せられた状態とする。雨水飛散防止カバー１には、鍔部が形成されていないため、後記するように、ストレーナ２０を予め竪樋１００に外嵌しても、この竪樋１００の下端部１０１の方へ移動することができる。
【００３６】
そして、雨水飛散防止カバー１のテーパ状部３を図２（ｂ）に示すような真っ直ぐに伸びた状態から、図２（ｃ）に示すように内側に折り込んだ状態とする。すなわち、雨水飛散防止カバー１は、筒状部２とテーパ状部３との境界部が折り目とされ、折り込まれることにより、延びた当初の状態のほぼ半分の高さとなる。
【００３７】
次に、図３に示すように、ストレーナ２０を竪樋１００の中間部１０３に位置するように上昇させるとともに、竪樋１００の下端縁とドレイン本体１０との間に設けられている空間Ｓに前記のようにテーパ状部３を折り込んだ雨水飛散防止カバー１を配置する。雨水飛散防止カバー１は、テーパ状部３が折り込まれていて、嵩が低くなっているため、竪樋１００の下端縁と凹陥部Ｃのエッジとの幅が狭くても、空間Ｓ内に容易に配置することができる。
【００３８】
次に、図４に示すように、雨水飛散防止カバー１の筒状部２を竪樋１００の下端部１０１に嵌め込む。ストレーナ２０が竪樋１００の中間部１０３に位置しているため、ストレーナ２０が邪魔にならず、雨水飛散防止カバー１の筒状部２を竪樋１００の下端部１０１に容易に嵌め込むことができる。また、雨水飛散防止カバー１は、軟質材で形成され、収縮する状態で竪樋１００を外嵌するため、竪樋１００から外れ落ちるようなことがない。
【００３９】
なお、雨水飛散防止カバー１は、テーパ状部３から突出しているスペーサ４，４…によって、ドレイン本体１０の段差部１２上に支承されるため、筒状部２は落下しない程度に竪樋１００を締め付ける収縮力を有していればよい。
【００４０】
次に、図５に示すように、折り込まれたテーパ状部３を引き出し、元の真っ直ぐ下側に延びた状態に復元する。雨水飛散防止カバー１は、軟質材で成形されているため、罅割れなどが生じたり、塑性変形したりすることなく、下側に延びた元の状態に容易に復元される。
【００４１】
次に、図６に示すように、雨水飛散防止カバー１のスペーサ４，４…がドレイン本体１０の段差部１２上に支承されるようにする。したがって、雨水飛散防止カバー１は若干下降し、筒状部２の上側部分のみ竪樋１００の下端部１０１を外嵌する。また、スペーサ４，４…がドレイン本体１０の段差部１２上に載せられることにより、テーパ状部３が排水管部１１を塞ぐことはなく、テーパ状部３と段差部１２との間に間隔が確実に設けられる。
【００４２】
最後に、図７に示すように、ストレーナ２０を下降して、この環状座板２２をドレイン本体１０の段差部１２上に設置する。雨水飛散防止カバー１には鍔部が形成されていないため、ストレーナ２０は、竪樋１００の中間部１０３からドレイン本体１０の段差部１２上まで下降することができる。そして、ストレーナ２０とドレイン本体１０とをネジ３０によって固定するとともに、ストレーナ２０と筒状部２とをネジ３０によって固定すると、一連の作業が完了し、上層階Ｈのルーフドレインと下層階ＬのルーフドレインＡとが竪樋１００によって掛け渡された状態となる。
【００４３】
次に、上層階Ｈと下層階Ｌの各ルーフドレインＡ，Ａに竪樋１００を掛け渡す第２の方法について、図８および図７を参照しながら説明する。
【００４４】
この第２の方法は、前記第１の方法と同様、ストレーナ２０を竪樋１００の中間部１０３に位置させ、また、雨水飛散防止カバー１のテーパ状部３を内側に折り込んだ状態とするが、図８に示すように、予め、筒状部２を竪樋１００の下端部１０１に外嵌しておく。なお、雨水飛散防止カバー１には鍔部が形成されていないため、雨水飛散防止カバー１を竪樋１００の下端部１０１に外嵌した後に、ストレーナ２０を竪樋１００の中間部１０３に位置させることもできる。
【００４５】
このように雨水飛散防止カバー１とストレーナ２０に外嵌された竪樋１００は、図８に示すように、傾斜姿勢から起立姿勢とされる。竪樋１００は、最も傾斜している状態において、上端部１０２が上層階Ｈの貫通穴Ｄの下端に位置し、起立姿勢となるにつれて上昇し、ドレイン本体１０の排水管部１１を外嵌する。
【００４６】
そして、竪樋１００が鉛直姿勢となると、折り込まれていたテーパ状部３を引き出す。最後に、図７に示すように、雨水飛散防止カバー１を下降して、スペーサ４，４…をドレイン本体１０の段差部１２上に支承されるようにする。そして、ストレーナ２０を下降して、環状座板２２をドレイン本体１０の段差部１２上に設置されるようにする。
【００４７】
雨水飛散防止カバー１には鍔部が形成されていないため、ストレーナ２０は雨水飛散防止カバー１を通過することができる。最後に、ストレーナ２０とドレイン本体１０とをネジ３０によって固定し、竪樋１００の下端部１０１をネジ３０によって固定すると、上層階Ｈと下層階Ｌの各ルーフドレインＡ，Ａ間に竪樋１００を掛け渡す作業が完了する。
【００４８】
いずれの方法であっても、竪樋１００内を流れ落ちる雨水は、雨水飛散防止カバー１が軟質材で成形されていることから、テーパ状部３で撥ね返っても、耳につきやすい高音の騒音が発生しない。また、このテーパ状部３によって、竪樋１００内を落下する雨水の飛沫がストレーナ２０の周囲に飛散することがない。さらに、バルコニーＢ上の雨水は、テーパ状部３の下端縁とドレイン本体１０との間に設けられた間隔から排水管部１１内へ流れていき、さらに、竪樋１００内から下層階Ｌへ流れ落ちる。
【００４９】
なお、本発明は、前記の実施形態に限定することなく、特許請求の範囲に記載した技術的事項において種々変更することができる。例えば、雨水飛散防止カバー１は、ストレーナ２０の支持管部２１を貫通するネジ３０によって、あるいは、接着剤によって竪樋１００の下端部１０１に固定することにより、スペーサ４，４…を備えないようにしてもよい。
【図面の簡単な説明】
【００５０】
【図１】（ａ）は本発明に係るルーフドレイン用の雨水飛散防止カバーであって、（ｂ）のＸ−Ｘ線断面図、（ｂ）は（ａ）の底面図である。
【図２】（ａ）は本発明に係るルーフドレイン用の雨水飛散防止カバーを取り付ける前のルーフドレインを含む断面図、（ｂ）は本発明に係るルーフドレイン用の雨水飛散防止カバーの初期状態の断面図、（ｃ）は本発明に係るルーフドレイン用の雨水飛散防止カバーを折り込んでいる状態の断面図である。
【図３】本発明に係るルーフドレイン用の雨水飛散防止カバーをルーフドレインに取り付ける第１の方法であって、途中の状態を示す断面図である。
【図４】本発明に係るルーフドレイン用の雨水飛散防止カバーをルーフドレインに取り付ける第１の方法であって、途中の状態を示す断面図である。
【図５】本発明に係るルーフドレイン用の雨水飛散防止カバーをルーフドレインに取り付ける第１の方法であって、途中の状態を示す断面図である。
【図６】本発明に係るルーフドレイン用の雨水飛散防止カバーをルーフドレインに取り付ける第１の方法であって、途中の状態を示す断面図である。
【図７】本発明に係るルーフドレイン用の雨水飛散防止カバーをルーフドレインに取り付けた後の状態を示す断面図である。
【図８】本発明に係るルーフドレイン用の雨水飛散防止カバーをルーフドレインに取り付ける第２の方法であって、途中の状態を分解して示す断面図である。
【図９】従来のルーフドレインおよび雨水飛散防止カバーの断面図である。
【図１０】従来の雨水飛散防止カバーをルーフドレインに取り付ける方法を示す断面図である。
【図１１】図１０と異なる従来の雨水飛散防止カバーをルーフドレインに取り付ける方法であって、途中の状態を分解して示す断面図である。
【符号の説明】
【００５１】
１…雨水飛散防止カバー
２…筒状部
３…テーパ状部
４…スペーサ
１０…ドレイン本体
１１…排水管部
２０…ストレーナ
１００…竪樋
１０１…下端部
１０２…上端部
Ａ…ルーフドレイン
Ｈ…上層階
Ｌ…下層階
【図１】
2006132124.tif 000003
【図２】
2006132124.tif 000004
【図３】
2006132124.tif 000005
【図４】
2006132124.tif 000006
【図５】
2006132124.tif 000007
【図６】
2006132124.tif 000008
【図７】
2006132124.tif 000009
【図８】
2006132124.tif 000010
【図９】
2006132124.tif 000011
【図１０】
2006132124.tif 000012
【図１１】
2006132124.tif 000013